(57)【要約】【課題】露光器が汚れにくい画像形成装置を提供する。【解決手段】画像形成装置１は、開口部２ａを有する装置本体２と、第１回動軸４を中心に回動して開口部２ａを塞ぐ第１位置と開口部２ａを開放する第２位置との間で変位するトップカバー３と、第２回動軸５ａを中心として基端部がトップカバー３に回動可能に支持され、先端部がトップカバー３から離間する露光位置とトップカバー３に近接する退避位置との間で変位する第１ＬＥＤアレイ５２ａと、第３回動軸５ｂを中心として基端部がトップカバー３に回動可能に支持され、先端部がトップカバー３から離間する露光位置とトップカバー３に近接する退避位置との間で変位する第２ＬＥＤアレイ５２ｂと、トップカバー３の第２位置から第１位置への変位に伴って、第１ＬＥＤアレイ５２ａを第２ＬＥＤアレイ５２ｂよりも遅いタイミングで退避位置から露光位置に変位させるリンク機構とを備えている。【選択図】図３
2018060037.tif 000002
【特許請求の範囲】
【請求項１】
電子写真方式の画像形成装置であって、
上面に開口部を有する装置本体と、
第１端部が前記装置本体に第１回動軸を中心として回動可能に支持され、前記第１端部と反対側の第２端部が前記第１回動軸を中心として揺動することにより、前記開口部を塞ぐ第１位置と前記開口部を開放する第２位置との間で変位するトップカバーと、
前記第１回動軸と平行な第２回動軸を中心として基端部が前記トップカバーに回動可能に支持され、前記基端部と反対側の先端部が前記トップカバーから離間する露光位置と前記トップカバーに近接する退避位置との間で変位する第１露光器と、
前記第１露光器よりも前記第１回動軸に近い側において前記第１回動軸と平行な第３回動軸を中心として基端部が前記トップカバーに回動可能に支持され、前記基端部と反対側の先端部が前記トップカバーから離間する露光位置と前記トップカバーに近接する退避位置との間で変位する第２露光器と、
前記トップカバーの前記第２位置から前記第１位置への変位に伴って、前記第２露光器を前記退避位置から前記露光位置に変位させるとともに、前記第１露光器を前記第２露光機よりも遅いタイミングで前記退避位置から前記露光位置に変位させるリンク機構とを備える、
ことを特徴とする画像形成装置。
【請求項２】
前記第２露光器よりも前記第１回動軸に近い側において前記第１回動軸と平行な第４回動軸を中心として基端部が前記トップカバーに回動可能に支持され、前記基端部と反対側の先端部が前記トップカバーから離間する露光位置と前記トップカバーに近接する退避位置との間で変位する第３露光器をさらに備え、
前記リンク機構は、前記トップカバーが前記第２位置から前記第１位置へ変位する際に、前記第３露光器を前記第２露光器よりも早いタイミングで前記退避位置から前記露光位置に変位させる、
ことを特徴とする請求項１に記載の画像形成装置。
【請求項３】
前記第１露光器は、前記先端部に露光面が配置され、
前記リンク機構は、前記トップカバーの前記第１位置から前記第２位置への変位に伴って、前記第１露光器の前記先端部を前記第１回動軸側へ変位させることにより、前記第１露光器を前記露光位置から前記退避位置に変位させる、
ことを特徴とする請求項１又は請求項２に記載の画像形成装置。
【請求項４】
前記リンク機構は、
前記第１露光器が有する第１係合部と、
前記第２露光器が有する第２係合部と、
前記トップカバーに設けられ、前記トップカバーの前記第１位置と前記第２位置との間での変位に伴って前記第１回動軸と直交する方向へ移動し、前記第１係合部と係合する第１被係合部及び前記第２係合部と係合する第２被係合部を有する直動部材とを備え、
前記第１被係合部及び第２被係合部は、
前記トップカバーの第２位置から第１位置への変位に伴って前記直動部材が移動する際に、それぞれ前記第１係合部及び第２係合部と係合することにより、前記第１露光器及び第２露光器を前記退避位置から前記露光位置へ変位させるとともに、
前記第１被係合部が前記第１係合部と係合するタイミングが、前記第２被係合部が前記第２係合部と係合するタイミングよりも遅くなる位置に配置されている、
ことを特徴とする請求項１〜請求項３の何れか一項に記載の画像形成装置。
【請求項５】
前記リンク機構は、
本体側端部が前記装置本体に回動可能に支持され、前記本体側端部とは反対側のカバー側端部が前記直動部材に回動可能に支持されるアームを備え、
前記トップカバーが前記第１位置と前記第２位置との間で変位するのに伴って、前記直動部材が前記アームにより前記第１回動軸と直交する方向へ移動される、
ことを特徴とする請求項４に記載の画像形成装置。
【請求項６】
前記リンク機構は、
前記第１回動軸に設けられる第１ギアと、
前記第１ギアとかみ合い、前記トップカバーの前記第１位置と前記第２位置との間での変位に伴い前記第１回動軸を中心として回動する第２ギアと、
前記直動部材に形成され、前記第２ギアとかみ合うラックギアとを備え、
前記トップカバーが前記第１位置と前記第２位置との間で変位するのに伴って前記第２ギアが前記第１回転軸を中心として回動することにより、前記第２ギアが前記第２ギアの回転軸を中心に回転して、前記直動部材が前記第１回動軸と直交する方向へ移動される、
ことを特徴とする請求項４に記載の画像形成装置。
【請求項７】
前記リンク機構は、
前記トップカバーに設けられ、前記第１回動軸と直交する方向へ移動可能なスライド部材と、
前記スライド部材と当接可能な当接部及び前記直動部材と連結される連結部を有し、前記第１回動軸と平行な第５回動軸を中心として前記トップカバーに回動可能に支持されるリンクレバーと、
本体側端部が前記装置本体に回動可能に支持され、前記本体側端部とは反対側のカバー側端部が前記スライド部材に回動可能に支持されるアームとを備え、
前記トップカバーが前記第２位置から前記第１位置へ変位するのに伴って、前記スライド部材が前記アームにより前記第１回動軸と直交する方向へ移動され、
前記第１回動軸と直交する方向へ移動する前記スライド部材が前記当接部に当接することにより、前記リンクレバーが前記第５回動軸を中心に回動し、
前記第５回動軸を中心に回動するリンクレバーにより前記直動部材が前記第１回動軸と直交する方向へ移動される、
ことを特徴とする請求項４に記載の画像形成装置。
【発明の詳細な説明】
【技術分野】
【０００１】
本発明は、電子写真方式の画像形成装置に関する。
【背景技術】
【０００２】
従来、電子写真方式の画像形成装置としては、上面に開口部を有する装置本体と、第１端部が前記装置本体に回動軸を中心として回動可能に支持され、前記装置本体の開口部を開閉可能なトップカバーとを備えた画像形成装置が知られている。
【０００３】
このような画像形成装置においては、例えば特許文献１に開示されるように、感光体を備えたドラムユニットが装置本体に収容され、前記感光体を露光するための露光器であるＬＥＤユニットがトップカバーに搭載されたものがある。
【０００４】
特許文献１に開示される画像形成装置においては、複数のＬＥＤユニットがトップカバーに搭載されている。各ＬＥＤユニットは、基端部がトップカバーに回動自在に支持され、基端部と反対側の先端部がトップカバーから離間する露光位置とトップカバーに近接する退避位置との間で変位するように構成されている。
【０００５】
また、前記画像形成装置は、トップカバーの開閉に伴ってＬＥＤユニットを露光位置と退避位置との間で変位させるリンク機構を備えており、トップカバーを閉じた状態ではＬＥＤユニットが露光位置に変位して装置本体内の感光体に近接し、トップカバーを開いた状態ではＬＥＤユニットが退避位置に変位して装置本体から退避するように構成されている。前記リンク機構は、トップカバーを開位置から閉位置へ回動させる過程において、各ＬＥＤユニットを同じタイミングで退避位置から露光位置へ変位させるように構成されている。
【先行技術文献】
【特許文献】
【０００６】
【特許文献１】特開２０１０−４４４０６号公報
【発明の概要】
【発明が解決しようとする課題】
【０００７】
前記ＬＥＤユニットは感光体を露光して画像を形成するための露光器であるため、なるべく汚れないことが好ましい。
しかし、トップカバーの回動軸から離れた位置にあるＬＥＤユニットはユーザーに近い位置に配置されることとなるため、トップカバーを開位置から閉位置へ回動させる過程でユーザーが触れて汚れる可能性が高い。
【０００８】
そこで、本発明は、ＬＥＤユニット等の露光器を備えた画像形成装置において、露光器が汚れにくい画像形成装置を提供するものである。
【課題を解決するための手段】
【０００９】
上記課題を解決する画像形成装置は、以下の特徴を有する。
即ち、電子写真方式の画像形成装置であって、上面に開口部を有する装置本体と、第１端部が前記装置本体に第１回動軸を中心として回動可能に支持され、前記第１端部と反対側の第２端部が前記第１回動軸を中心として揺動することにより、前記開口部を塞ぐ第１位置と前記開口部を開放する第２位置との間で変位するトップカバーと、前記第１回動軸と平行な第２回動軸を中心として基端部が前記トップカバーに回動可能に支持され、前記基端部と反対側の先端部が前記トップカバーから離間する露光位置と前記トップカバーに近接する退避位置との間で変位する第１露光器と、前記第１露光器よりも前記第１回動軸に近い側において前記第１回動軸と平行な第３回動軸を中心として基端部が前記トップカバーに回動可能に支持され、前記基端部と反対側の先端部が前記トップカバーから離間する露光位置と前記トップカバーに近接する退避位置との間で変位する第２露光器と、前記トップカバーの前記第２位置から前記第１位置への変位に伴って、前記第２露光器を前記退避位置から前記露光位置に変位させるとともに、前記第１露光器を前記第２露光機よりも遅いタイミングで前記退避位置から前記露光位置に変位させるリンク機構とを備える。
【発明の効果】
【００１０】
本発明によれば、ユーザーに近い位置に配置されて汚れる可能性の高い第１露光器が汚れやすい露光位置に変位するタイミングが、第２露光器よりも遅くなるため、第１露光器が汚れにくくなる。
【図面の簡単な説明】
【００１１】
【図１】ジョイントカバーを閉じた状態の画像形成装置を示す中央断面図である。
【図２】ジョイントカバーを開いた状態の画像形成装置を示す中央断面図である。
【図３】トップカバーが第２位置にあり、第１ＬＥＤアレイから第４ＬＥＤアレイまでの全てが退避位置に保持されている状態の画像形成装置を示す側面断面図である。
【図４】（ａ）はトップカバーが第２位置から第１位置側へ向けて変位して、第４ＬＥＤアレイが退避位置から露光位置に変位した状態の画像形成装置を示す側面断面図であり、（ｂ）はトップカバーが図３（ａ）に示す状態からさらに第１位置側へ向けて変位して、第３ＬＥＤアレイが退避位置から露光位置に変位した状態の画像形成装置を示す側面断面図である。
【図５】（ａ）はトップカバーが図３（ｂ）に示す状態からさらに第１位置側へ向けて変位して、第２ＬＥＤアレイが退避位置から露光位置に変位した状態の画像形成装置を示す側面断面図であり、（ｂ）はトップカバーが図４（ａ）に示す状態からさらに第１位置側へ向けて変位して、第１ＬＥＤアレイが退避位置から露光位置に変位した状態の画像形成装置を示す側面断面図である。
【図６】少なくとも保持カム面及び回動カム面を有する形状に形成した直動板を示す側面図である。
【図７】ＬＥＤアレイの回動機構の第２実施形態を示す側面図である。
【図８】ＬＥＤアレイの回動機構の第３実施形態を示す側面図である。
【図９】ＬＥＤアレイの回動機構の第４実施形態を示す側面図である。
【発明を実施するための形態】
【００１２】
次に、本発明を実施するための形態を、添付の図面を用いて説明する。
【００１３】
[画像形成装置の全体構成]
図１に示す画像形成装置１は、本発明に係る画像形成装置の一実施形態であり、電子写真方式により、用紙やＯＨＰシート等のシートＰに複数色の画像を形成するカラーレーザプリンタである。
【００１４】
以下の説明においては、図１における「左側」、「右側」、「紙面手前側」、及び「紙面奥側」を、それぞれ画像形成装置１の「前側」、「後側」、「左側」、及び「右側」と規定する。また、図１における「上側」及び「下側」を、それぞれ画像形成装置１の「上側」及び「下側」と規定する。
【００１５】
図１、図２に示す画像形成装置１は、上面に開口部２ａを有する装置本体２と、第１端部である後端部が装置本体２に第１回動軸４を中心として回動可能に支持され、前記第１端部と反対側の第２端部である前端部が第１回動軸４を中心として揺動することにより、開口部２ａを塞ぐ第１位置と開口部２ａを開放する第２位置との間で変位するトップカバー３とを備えている。図１にはトップカバー３が第１位置にある状態の画像形成装置１を示しており、図２にはトップカバー３が第２位置にある状態の画像形成装置１を示している。
【００１６】
装置本体２及びトップカバー３にて囲まれる空間内には、シートＰに画像を形成するための画像形成ユニットが収容されている。前記画像形成ユニットは、感光ユニット６及び露光ユニット５を備える電子写真式の画像形成ユニットに構成されている。
【００１７】
感光ユニット６は装置本体２内に収容されており、前後方向に並設される４つのドラムユニット６１を備えている。各ドラムユニット６１は、画像形成ユニット内におけるシートＰの搬送方向を示す矢印Ｃ方向の上流側から順に、ブラック、イエロー、マゼンダ、及びシアンの各色に対応して設けられている。
各ドラムユニット６１は、トップカバー３が第２位置にあって装置本体２の開口部２ａが開放された状態で、開口部２ａを介して装置本体２に対して装着および離脱が可能となっている。
【００１８】
各ドラムユニット６１は感光ドラム６２および現像ローラ６３を備えている。感光ドラム６２の表面は、感光ドラム６２の回転に伴って、図示しない帯電器によって一様に帯電される。
【００１９】
一方、トップカバー３には、露光ユニット５を構成する複数のＬＥＤアレイ５２が設けられている。ＬＥＤアレイ５２は露光器の一例である。
ＬＥＤアレイ５２は、第１回動軸４の軸心方向に並列される複数のＬＥＤ素子を備えている。ＬＥＤアレイ５２は、各ドラムユニット６１に対応して４つ設けられており、前後方向に並設されている。
【００２０】
ＬＥＤアレイ５２は、第１回動軸４と平行な回動軸５を中心として、図１における上端部となる基端部がトップカバー３に回動可能に支持されており、図１において前記上端部と反対側の下端部となる先端部がトップカバー３から離間する露光位置とトップカバー３に近接する退避位置との間で変位するように構成されている。
【００２１】
各ＬＥＤアレイ５２は、具体的には、矢印Ｃ方向の最も上流側に位置する第１ＬＥＤアレイ５２ａ、第１ＬＥＤアレイ５２ａよりも矢印Ｃ方向の下流側に位置する第２ＬＥＤアレイ５２ｂ、第２ＬＥＤアレイ５２ｂよりも矢印Ｃ方向の下流側に位置する第３ＬＥＤアレイ５２ｃ、及び第３ＬＥＤアレイ５２ｃよりも矢印Ｃ方向の下流側に位置する第４ＬＥＤアレイ５２ｄである。
【００２２】
第１ＬＥＤアレイ５２ａは第１露光器の一例であって、第１回動軸４と平行な第２回動軸５ａを中心として基端部がトップカバー３に回動可能に支持されており、第２ＬＥＤアレイ５２ｂは第２露光器の一例であって、第１ＬＥＤアレイ５２ａよりも第１回動軸４に近い側において第１回動軸４と平行な第３回動軸５ｂを中心として基端部がトップカバー３に回動可能に支持されており、第３ＬＥＤアレイ５２ｃは第３露光器の一例であって、第２ＬＥＤアレイ５２ｂよりも第１回動軸４に近い側において第１回動軸４と平行な第４回動軸５ｃを中心として基端部がトップカバー３に回動可能に支持されている。また、第４ＬＥＤアレイ５２ｄは、第３ＬＥＤアレイ５２ｃよりも第１回動軸４に近い側において第１回動軸４と平行な回動軸５ｄを中心として基端部がトップカバー３に回動可能に支持される露光器である。
【００２３】
第１ＬＥＤアレイ５２ａ、第２ＬＥＤアレイ５２ｂ、第３ＬＥＤアレイ５２ｃ、及び第４ＬＥＤアレイ５２ｄは、前後方向の配置位置及びトップカバー３が第２位置から第１位置へ変位する際の退避位置から露光位置への変位タイミングが異なっているが、ＬＥＤアレイ自体の構成は同じであり、特に区別する必要がない場合には、単にＬＥＤアレイ５２と記載する。
【００２４】
図１に示すように、トップカバー３が第１位置にあって開口部２ａが塞がれた状態では、ＬＥＤアレイ５２が露光位置に変位して、ＬＥＤアレイ５２の先端部が装置本体２内の感光ドラム６２に近接し、図２に示すように、トップカバー３が第２位置にあって開口部２ａが開放された状態では、ＬＥＤアレイ５２が退避位置に変位して、ＬＥＤアレイ５２が装置本体２から退避するように構成されている。
【００２５】
帯電器によって一様に帯電された感光ドラム６２は、ＬＥＤアレイ５２によって選択的に露光される。この露光により、感光ドラム６２の表面から電荷が選択的に除去され、感光ドラム６２の表面に静電潜像が形成される。
【００２６】
現像ローラ６３には現像バイアスが印加されており、静電潜像が現像ローラ６３に対向すると、静電潜像と現像ローラ６３との間の電位差により、現像ローラ６３から静電潜像にトナーが供給される。これによって、感光ドラム６２の表面にトナー像が形成される。
【００２７】
装置本体２の下部に配置された給紙カセット２５に収容されるシートＰは、各種ローラにより搬送ベルト６４上に搬送される。搬送ベルト６４は、一対の駆動ローラ６４ａと従動ローラ６４ｂとの間に掛け渡されており、４つの感光ドラム６２の下方に対向して配置されている。搬送ベルト６４を挟んだ各感光ドラム６２に対向する各位置には、転写ローラ６５がそれぞれ配置されている。
【００２８】
搬送ベルト６４上に搬送されたシートＰは、駆動ローラ６４ａにより駆動されて走行する搬送ベルト６４により、搬送ベルト６４と感光ドラム６２との間を矢印Ｃ方向に順次通過する。そして、感光ドラム６２の表面上のトナー像は、シートＰと対向したときに、転写ローラ６５に印加された転写バイアスによってシートＰに転写される。
【００２９】
シートＰの搬送方向における搬送ベルト６４よりも下流側には定着部６６が配置されており、トナー像が転写されたシートＰは定着部６６に搬送される。定着部では、シートＰに対して加熱及び加圧が行われてトナー像がシートＰに定着される。トナー像が定着したシートＰは、各種ローラによりトップカバー３の排紙トレイ３ａに排出される。
【００３０】
[ＬＥＤアレイの回動機構の第１実施形態]
画像形成装置１においては、ＬＥＤアレイ５２を第１回動軸４と平行な回動軸５を中心として回動させることにより、露光位置と退避位置との間で変位させるように構成しているが、次に、ＬＥＤアレイ５２の回動機構の第１実施形態について説明する。
【００３１】
図３に示すように、トップカバー３には、装置本体２側へ向けて突出するガイドフレーム３１が形成されている。ガイドフレーム３１は、ＬＥＤアレイ５２の数に対応した数だけ形成されており、各ＬＥＤアレイ５２は、ガイドフレーム３１によりＬＥＤアレイ５２の回動軸５を中心として回動可能に支持されている。
【００３２】
具体的には、第１ＬＥＤアレイ５２ａは、ガイドフレーム３１により第２回動軸５ａを中心として回動可能に支持され、第２ＬＥＤアレイ５２ｂは、ガイドフレーム３１により第３回動軸５ｂを中心として回動可能に支持され、第３ＬＥＤアレイ５２ｃは、ガイドフレーム３１により第４回動軸５ｃを中心として回動可能に支持され、第４ＬＥＤアレイ５２ｄは、ガイドフレーム３１により回動軸５ｄを中心として回動可能に支持されている。
【００３３】
ＬＥＤアレイ５２には、回動軸５に支持されている部分から回動軸５方向と直交する方向へ延出するアーム５３が形成されており、アーム５３の先端部には回動軸５方向に突出する係合ピン５４が形成されている。係合ピン５４はＬＥＤアレイ５２が有する係合部の一例である。
【００３４】
具体的には、第１ＬＥＤアレイ５２ａはアーム５３ａ及び係合ピン５４ａを有しており、第２ＬＥＤアレイ５２ｂはアーム５３ｂ及び係合ピン５４ｂを有しており、第３ＬＥＤアレイ５２ｃはアーム５３ｃ及び係合ピン５４ｃを有しており、第４ＬＥＤアレイ５２ｄはアーム５３ｄ及び係合ピン５４ｄを有している。係合ピン５４ａは第１係合部の一例であり、係合ピン５４ｂは第２係合部の一例である。
【００３５】
トップカバー３には、第１回動軸４方向と直交する方向かつトップカバー３の前後方向に沿った方向へ移動可能な直動板３２が設けられている。直動板３２は、直動部材の一例である。また、トップカバー３と装置本体２との間には、本体側端部７２ａが装置本体２に回動可能に支持され、本体側端部７２ａとは反対側のカバー側端部７２ｂが直動板３２に回動可能に支持されるアーム７２が介装されている。
直動板３２及びアーム７２は、画像形成装置１の左右方向における一側端部に配置されている。
【００３６】
そして、トップカバー３が第１位置と第２位置との間で変位するのに伴って、直動板３２がアーム７２により前述の第１回動軸４方向と直交する方向へ移動されるように構成されている。例えば、トップカバー３が第２位置から第１位置へ変位する際には、直動板３２はアーム７２により後方から前方へ向かって移動され、トップカバー３が第１位置から第２位置へ変位する際には、直動板３２はアーム７２により前方から後方へ向かって移動される。
【００３７】
直動板３２には、直動板３２の移動方向に沿って延出する長孔形状のカム孔３３、３４、３５、３６が形成されている。カム孔３３、３４、３５、３６は、前方から後方へ向かってカム孔３３、カム孔３４、カム孔３５、及びカム孔３６の順に配置されている。
カム孔３３には第１ＬＥＤアレイ５２ａの係合ピン５４ａが摺動可能に係合され、カム孔３４には第２ＬＥＤアレイ５２ｂの係合ピン５４ｂが摺動可能に係合され、カム孔３５には第３ＬＥＤアレイ５２ｃの係合ピン５４ｃが摺動可能に係合され、カム孔３６には第４ＬＥＤアレイ５２ｄの係合ピン５４ｄが摺動可能に係合されている。
【００３８】
カム孔３３は、直動板３２の移動方向に沿ったカム面である保持カム面３３ａと、保持カム面３３に連続して形成され、後方へいくに従って保持カム面３３に対して装置本体２側へ傾斜する回動カム面３３ｂとを有している。回動カム面３３ｂは保持カム面３３ａよりも後方に配置されている。
カム孔３３に係合する係合ピン５４ａが保持カム面３３ａに係合している状態では、第１ＬＥＤアレイ５２ａは退避位置に変位した状態が保持され、係合ピン５４ａが回動カム面３３ｂに係合した状態では、第１ＬＥＤアレイ５２ａは露光位置に変位した状態となる。回動カム面３３ｂは、第１被係合部の一例である。
【００３９】
カム孔３４も同様に保持カム面３４ａ及び回動カム面３４ｂを有しており、係合ピン５４ｂが保持カム面３４ａに係合している状態では、第２ＬＥＤアレイ５２ｂは退避位置に変位した状態が保持され、係合ピン５４ｂが回動カム面３４ｂに係合した状態では、第２ＬＥＤアレイ５２ｂは露光位置に変位した状態となる。回動カム面３４ｂは、第２被係合部の一例である。
【００４０】
カム孔３５も同様に保持カム面３５ａ及び回動カム面３５ｂを有しており、係合ピン５４ｃが保持カム面３５ａに係合している状態では、第３ＬＥＤアレイ５２ｃは退避位置に変位した状態が保持され、係合ピン５４ｃが回動カム面３５ｂに係合した状態では、第３ＬＥＤアレイ５２ｃは露光位置に変位した状態となる。
カム孔３６も同様に保持カム面３６ａ及び回動カム面３６ｂを有しており、係合ピン５４ｄが保持カム面３６ａに係合している状態では、第４ＬＥＤアレイ５２ｄは退避位置に変位した状態が保持され、係合ピン５４ｄが回動カム面３６ｂに係合した状態では、第４ＬＥＤアレイ５２ｄは露光位置に変位した状態となる。
【００４１】
カム孔３３の前端から回動カム面３３ｂまでの寸法、即ち保持カム面３３ａの長さ寸法はＬａに設定されている。また、カム孔３４における保持カム面３４ａの長さ寸法はＬｂに設定され、カム孔３５における保持カム面３５ａの長さ寸法はＬｃに設定され、カム孔３６における保持カム面３６ａの長さ寸法はＬｄに設定されている。
寸法Ｌｂは寸法Ｌａよりも小さく設定され、寸法Ｌｃは寸法Ｌｂよりも小さく設定され、寸法Ｌｄは寸法Ｌｃよりも小さく設定されている（Ｌａ＞Ｌｂ＞Ｌｃ＞Ｌｄ）。
【００４２】
図３に示すように、トップカバー３が第２位置にあるときには、係合ピン５４ａ、５４ｂ、５４ｃ、５４ｄは、それぞれカム孔３３、３４、３５、３６の前端部に位置しており、トップカバー３が第２位置から第１位置へ向けて変位すると、直動板３２が前方へ移動するため、係合ピン５４ａ、５４ｂ、５４ｃ、５４ｄは、それぞれカム孔３３、３４、３５、３６内を相対的に後方へ向かって移動することとなる。
【００４３】
係合ピン５４ａ、５４ｂ、５４ｃ、５４ｄがカム孔３３、３４、３５、３６内を後方へ向かって移動する際、係合ピン５４ａ、５４ｂ、５４ｃ、５４ｄが保持カム面３５ａに係合している間は各ＬＥＤアレイ５２ａ、５２ｂ、５２ｃ、５２ｄは退避位置に保持され、係合ピン５４ａ、５４ｂ、５４ｃ、５４ｄの係合箇所が回動カム面３３ｂ、３４ｂ、３５ｂ、３６ｂに移ると、各ＬＥＤアレイ５２ａ、５２ｂ、５２ｃ、５２ｄが回動して露光位置に変位する。
【００４４】
この場合、各カム孔３３、３４、３５、３６の寸法Ｌａ、Ｌｂ、Ｌｃ、Ｌｄは、Ｌａ＞Ｌｂ＞Ｌｃ＞Ｌｄとなるように設定されているため、トップカバー３が第２位置から第１位置へ向けて変位した場合、係合ピン５４ｄが最も早く回動カム面３６ｂの位置に達し、次に係合ピン５４ｃが回動カム面３５ｂの位置に達し、次に係合ピン５４ｂが回動カム面３４ｂの位置に達し、次に係合ピン５４ａが回動カム面３３ｂの位置に達する。
【００４５】
つまり、図３に示すように、トップカバー３が第２位置にあるときには、ＬＥＤアレイ５２ａ、５２ｂ、５２ｃ、５２ｄは全て退避位置に保持されており、この状態からトップカバー３が第２位置から第１位置側へ向けて変位していくと、係合ピン５４ａ、５４ｂ、５４ｃ、５４ｄが、それぞれカム孔３３、３４、３５、３６内を相対的に後方へ向かって移動していき、最初に係合ピン５４ｄが回動カム面３６ｂの位置に達する。
係合ピン５４ｄが回動カム面３６ｂの位置に達すると、図４（ａ）に示すように、第４ＬＥＤアレイ５２ｄが回動して退避位置から露光位置へ変位する。
【００４６】
図４（ａ）に示す状態からトップカバー３がさらに第１位置側へ変位すると、係合ピン５４ｃが回動カム面３５ｂの位置に達して、図４（ｂ）に示すように、第３ＬＥＤアレイ５２ｃが回動して退避位置から露光位置へ変位する。
図４（ｂ）に示す状態からトップカバー３がさらに第１位置側へ変位すると、係合ピン５４ｂが回動カム面３４ｂの位置に達して、図５（ａ）に示すように、第２ＬＥＤアレイ５２ｂが回動して退避位置から露光位置へ変位する。
【００４７】
図５（ａ）に示す状態からトップカバー３がさらに第１位置側へ変位すると、係合ピン５４ａが回動カム面３３ｂの位置に達して、図５（ｂ）に示すように、第１ＬＥＤアレイ５２ａが回動して退避位置から露光位置へ変位する。
【００４８】
このように、画像形成装置１においては、トップカバー３の第２位置から第１位置への変位に伴って直動板３２が移動する際に、係合ピン５４ａ、５４ｂ、５４ｃ、５４ｄが回動カム面３３ｂ、３４ｂ、３５ｂ、３６ｂと係合することにより、各ＬＥＤアレイ５２ａ、５２ｂ、５２ｃ、５２ｄが退避位置から露光位置へ変位するように構成している。
この場合、回動カム面３３ｂ及び回動カム面３４ｂは、回動カム面３３ｂが係合ピン５４ａと係合するタイミングが、回動カム面３４ｂが係合ピン５４ｂと係合するタイミングよりも遅くなる位置に配置されているため、第１ＬＥＤアレイ５２ａは、第２ＬＥＤアレイ５２ｂよりも遅いタイミングで退避位置から露光位置へ変位することとなっている。
【００４９】
また、回動カム面３４ｂ及び回動カム面３５ｂは、回動カム面３４ｂが係合ピン５４ｂと係合するタイミングが、回動カム面３５ｂが係合ピン５４ｃと係合するタイミングよりも遅くなる位置に配置されているため、第２ＬＥＤアレイ５２ｂは、第３ＬＥＤアレイ５２ｃよりも遅いタイミングで退避位置から露光位置へ変位することとなっている。
さらに、回動カム面３５ｂ及び回動カム面３６ｂは、回動カム面３５ｂが係合ピン５４ｃと係合するタイミングが、回動カム面３６ｂが係合ピン５４ｄと係合するタイミングよりも遅くなる位置に配置されているため、第３ＬＥＤアレイ５２ｃは、第４ＬＥＤアレイ５２ｄよりも遅いタイミングで退避位置から露光位置へ変位することとなっている。
【００５０】
このように、アーム７２、カム孔３３、３４、３５、３６が形成された直動板３２、及び係合ピン５４ａ、５４ｂ、５４ｃ、５４ｄにより、ＬＥＤアレイ５２ａ、５２ｂ、５２ｃ、５２ｄを回動させる、ＬＥＤアレイ５２ａ、５２ｂ、５２ｃ、５２ｄの回動機構としてのリンク機構を構成している。
【００５１】
これにより、トップカバー３が第２位置から第１位置に変位する際に、例えば相対的にユーザーに近い位置に配置される第１ＬＥＤアレイ５２ａの露光位置への変位が、相対的にユーザーから遠い位置に配置される第２ＬＥＤアレイ５２ｂ、第３ＬＥＤアレイ５２ｃ、及び第４ＬＥＤアレイ５２ｄの露光位置への変位よりも遅いタイミングで行われる。つまり、ユーザーに近い位置に配置されて汚れる可能性の高い第１ＬＥＤアレイ５２ａが汚れやすい露光位置に変位するタイミングが第２ＬＥＤアレイ５２ｂ、第３ＬＥＤアレイ５２ｃ、及び第４ＬＥＤアレイ５２ｄよりも遅くなるため、第１露光器が汚れにくくなっている。
【００５２】
また、各ＬＥＤアレイ５２ａ、５２ｂ、５２ｃ、５２ｄは、先端部に露光面５５ａ、５５ｂ、５５ｃ、５５ｄが配置されており、前記リンク機構は、トップカバー３の第１位置から第２位置への変位に伴って、ＬＥＤアレイ５２ａ、５２ｂ、５２ｃ、５２ｄの先端部を第１回動軸４側へ変位させることにより、ＬＥＤアレイ５２ａ、５２ｂ、５２ｃ、５２ｄを露光位置から退避位置に変位させるように構成されている。
この場合、直動板３２はアーム７２により後方へ向かって移動され、トップカバー３が第２位置から第１位置へ変位するときとは逆の順にＬＥＤアレイ５２ａ、５２ｂ、５２ｃ、５２ｄが露光位置から退避位置に変位される。
【００５３】
このように、ＬＥＤアレイ５２ａ、５２ｂ、５２ｃ、５２ｄを露光位置から退避位置に変位させるときに、露光面５５ａ、５５ｂ、５５ｃ、５５ｄが配置される先端部を第１回動軸４側へ変位させることで、先端部をユーザーから遠く離れる方向に向けることができ、露光面５５ａ、５５ｂ、５５ｃ、５５ｄが汚れにくくなっている。
【００５４】
また、本実施形態では、第１ＬＥＤアレイ５２ａの係合ピン５４ａが長孔形状のカム孔３３に係合するように構成していたが、必ずしも直動板３２に長孔形状のカム孔３３を形成する必要はなく、直動板３２は、図６に示すように、少なくとも保持カム面３３及び回動カム面３３ｂを有する形状に形成されていればよい。
カム孔３４、３５、３６についても同様である。
【００５５】
[ＬＥＤアレイの回動機構の第２実施形態]
次に、ＬＥＤアレイの回動機構の第２実施形態について説明する。
第１実施形態においては、トップカバー３の第１位置と第２位置との間での変位に伴う直動板３２の移動をアーム７２により直接行うように構成していたが、図７に示すように、直動板３２の移動をスライド部材３７及びリンクレバー３８を用いて行うように構成することもできる。なお、図７においては、第３ＬＥＤアレイ５２ｃ及び第４ＬＥＤアレイ５２ｄ、並びに直動板３２におけるカム孔３５、３６の記載を省略している。
【００５６】
第２実施形態におけるＬＥＤアレイ５２ａ、５２ｂ、５２ｃ、５２ｄの回動機構は、直動板３２、スライド部材３７、リンクレバー３８、アーム７３、及びバネ７４を備えている。
【００５７】
スライド部材３７は、トップカバー３に対して、第１回動軸４方向と直交する方向かつトップカバー３の前後方向に沿った方向へ移動可能なように支持されている。
トップカバー３と装置本体２との間には、本体側端部７３ａが装置本体２に回動可能に支持され、本体側端部７３ａとは反対側のカバー側端部７３ｂがスライド部材３７に回動可能に支持されるアーム７３が介装されている。
【００５８】
そして、トップカバー３が第１位置と第２位置との間で変位するのに伴って、スライド部材３７がアーム７３により前述の第１回動軸４方向と直交する方向へ移動されるように構成されている。例えば、トップカバー３が第２位置から第１位置へ変位する際には、スライド部材３７はアーム７３により後方から前方へ向かって移動され、トップカバー３が第１位置から第２位置へ変位する際には、スライド部材３７はアーム７３により前方から後方へ向かって移動される。
【００５９】
トップカバー３におけるスライド部材３７の前方には、スライド部材３７と当接可能な当接部３８ｂ及び直動部材３２と連結される連結部３８ｃを有し、第１回動軸４と平行な回動軸３８ａを中心としてトップカバー３に回動可能に支持されるリンクレバー３８が配置されている。回動軸３８ａは第５回動軸の一例である。
リンクレバー３８においては、上方から下方へ向かって、回動軸３８ａ、連結部３８ｃ、及び当接部３８ｂの順に配置されている。
直動板３２は、直動板３２の後端とトップカバー３との間に介装されるバネ７４により後方へ付勢されている。
【００６０】
なお、直動板３２は、第１実施形態の直動板３２に対して、アーム７２のカバー側端部７２ｂが接続されていない点、及びリンクレバー３８の連結部３８ｃが連結されている点を除いて同様に構成されている。
【００６１】
このような構成において、トップカバー３が第２位置にあるときには、図７（ａ）に示すように、直動板３２がバネ７４の付勢力により後方へ移動した状態にあるとともに、スライド部材３７が当接部３８ｂから後方へ離間して位置した状態にあり、係合ピン５４ａ、５４ｂ、５４ｃ、５４ｄは、それぞれカム孔３３、３４、３５、３６の前端部に位置している。
【００６２】
この状態から、トップカバー３が第２位置から第１位置へ向けて変位すると、スライド部材３７がアーム７３により前方へ移動され当接部３８ｂに当接する。スライド部材３７が当接部３８ｂに当接した後にさらに前方へ移動すると、当接部３８ｂが前方へ移動してリンクレバー３８が回動軸３８ａを中心として回動する。
リンクレバー３８が回動することにより、連結部３８ｃ及び連結部３８ｃと連結されている直動板３２が前方へ移動する。
【００６３】
直動板３２が前方へ移動すると、第１実施形態の場合と同様に、最初に係合ピン５４ｄが回動カム面３６ｂの位置に達し、第４ＬＥＤアレイ５２ｄが回動して退避位置から露光位置へ変位する。
次に、係合ピン５４ｃが回動カム面３５ｂの位置に達して第３ＬＥＤアレイ５２ｃが退避位置から露光位置へ変位し、さらに係合ピン５４ｂが回動カム面３４ｂの位置に達して第２ＬＥＤアレイ５２ｂが退避位置から露光位置へ変位する。
最後に、係合ピン５４ａが回動カム面３３ｂの位置に達して、図７（ｂ）に示すように、第１ＬＥＤアレイ５２ａが退避位置から露光位置へ変位する。
【００６４】
[ＬＥＤアレイの回動機構の第３実施形態]
次に、ＬＥＤアレイの回動機構の第３実施形態について説明する。
ＬＥＤアレイの回動機構は、図８に示すように構成することもできる。
つまり、直動板１３２をスライド部材３７及びリンクレバー３９を用いて移動させることにより、ＬＥＤアレイ５２ａ、５２ｂ、５２ｃ、５２ｄを退避位置から露光位置へ変位させることができる。なお、図８においては、第３ＬＥＤアレイ５２ｃ及び第４ＬＥＤアレイ５２ｄ、並びに直動板１３２における被係合孔１３５、１３６の記載を省略している。
【００６５】
第３実施形態におけるＬＥＤアレイ５２ａ、５２ｂ、５２ｃ、５２ｄの回動機構は、直動板１３２、スライド部材３７、リンクレバー３９、アーム７３、及びバネ７５を備えている。スライド部材３７及びアーム７３については第２実施形態と同様の構成のため、説明を省略する。
【００６６】
直動板１３２は、トップカバー３に対して、第１回動軸４方向と直交する方向かつトップカバー３の前後方向に沿った方向へ移動可能なように支持されている。直動板１３２は、直動部材の一例である。
【００６７】
直動板１３２には、直動板１３２の移動方向に沿って延出する長孔形状の被係合孔１３３、１３４、１３５、１３６が形成されている。被係合孔１３３、１３４、１３５、１３６は、前方から後方へ向かって被係合孔１３３、被係合孔１３４、被係合孔１３５、被係合孔１３６の順に配置されている。
【００６８】
被係合孔１３３には第１ＬＥＤアレイ５２ａの係合ピン５４ａが摺動可能に係合され、被係合孔１３４には第２ＬＥＤアレイ５２ｂの係合ピン５４ｂが摺動可能に係合され、被係合孔１３５には第３ＬＥＤアレイ５２ｃの係合ピン５４ｃが摺動可能に係合され、被係合孔１３６には第４ＬＥＤアレイ５２ｄの係合ピン５４ｄが摺動可能に係合されている。
【００６９】
被係合孔１３３の前端部は係合ピン５４ａと係合する被係合部１３３ａとして構成されている。同様に、被係合孔１３４の前端部は係合ピン５４ｂと係合する被係合部１３４ａとして構成され、被係合孔１３５の前端部は係合ピン５４ｃと係合する被係合部１３５ａとして構成され、被係合孔１３６の前端部は係合ピン５４ｄと係合する被係合部１３６ａとして構成されている。被係合部１３３ａは第１被係合部の一例であり、被係合部１３４ａは第２被係合部の一例である。
【００７０】
トップカバー３におけるスライド部材３７の前方には、スライド部材３７と当接可能な当接部３９ｂ及び直動部材１３２と連結される連結部３９ｃを有し、第１回動軸４と平行な回動軸３９ａを中心としてトップカバー３に回動可能に支持されるリンクレバー３９が配置されている。回動軸３９ａは、第５回動軸の一例である。リンクレバー３９においては、上方から下方へ向かって、連結部３９ｃ、回動軸３９ａ及び当接部３９ｂの順に配置されている。
直動板１３２は、直動板１３２の前端とトップカバー３との間に介装されるバネ７５により前方へ付勢されている。
【００７１】
図８（ａ）に示すように、トップカバー３が第２位置にあるとき、直動板１３２はバネ７５の付勢力により前方へ移動した状態にあり、係合ピン５４ａ、５４ｂ、５４ｃ、５４ｄは、それぞれ被係合孔１３３の被係合部１３３ａ、被係合孔１３４の被係合部１３４ａ、被係合孔１３５の被係合部１３５ａ、及び被係合孔１３６の被係合部１３６ａよりも後方へ離間して位置している。
この場合、各ＬＥＤアレイ５２ａ、５２ｂ、５２ｃ、５２ｄは退避位置に変位した状態で保持されている。
【００７２】
また、被係合孔１３３の被係合部１３３ａから係合ピン５４ａまでの寸法はＬｐに設定され、被係合孔１３４の被係合部１３４ａから係合ピン５４ｂまでの寸法はＬｑに設定され、被係合孔１３５の被係合部１３５ａから係合ピン５４ｃまでの寸法はＬｒに設定され、被係合孔１３６の被係合部１３６ａから係合ピン５４ｄまでの寸法はＬｓに設定されている。
寸法Ｌｑは寸法Ｌｐよりも小さく設定され、寸法Ｌｒは寸法Ｌｑよりも小さく設定され、寸法Ｌｓは寸法Ｌｒよりも小さく設定されている（Ｌｐ＞Ｌｑ＞Ｌｒ＞Ｌｓ）。
【００７３】
このような構成において、第２位置にあるトップカバー３が第１位置へ向けて変位すると、スライド部材３７がアーム７３により前方へ移動され当接部３９ｂに当接する。スライド部材３７が当接部３９ｂに当接した後にさらに前方へ移動すると、当接部３９ｂが前方へ移動してリンクレバー３９が回動軸３９ａを中心として回動する。
リンクレバー３９が回動することにより、連結部３９ｃ及び連結部３９ｃと連結されている直動板１３２が後方へ移動する。
【００７４】
直動板３２が後方へ移動すると、最初に被係合部１３６ａが係合ピン５４ｄに当接して、被係合部１３６ａにより係合ピン５４ｄが後方へ移動される。係合ピン５４ｄが後方へ移動されると、第４ＬＥＤアレイ５２ｄが回動して退避位置から露光位置へ変位する。
【００７５】
次に、被係合部１３５ａが係合ピン５４ｃに当接して、係合ピン５４ｃが後方へ移動され、第３ＬＥＤアレイ５２ｃが回動して退避位置から露光位置へ変位し、さらに被係合部１３４ａが係合ピン５４ｂに当接して、係合ピン５４ｂが後方へ移動され、第２ＬＥＤアレイ５２ｂが回動して退避位置から露光位置へ変位する。
最後に、被係合部１３３ａが係合ピン５４ａに当接して、係合ピン５４ａが後方へ移動され、第１ＬＥＤアレイ５２ａが回動して退避位置から露光位置へ変位する。
【００７６】
[ＬＥＤアレイの回動機構の第４実施形態]
次に、ＬＥＤアレイの回動機構の第４実施形態について説明する。
ＬＥＤアレイの回動機構は、図９に示すように構成することもできる。
つまり、直動板２３２を第１ギア７６及び第２ギア７７を用いて移動させることにより、ＬＥＤアレイ５２ａ、５２ｂ、５２ｃ、５２ｄを退避位置から露光位置へ変位させることができる。なお、図９においては、第３ＬＥＤアレイ５２ｃ及び第４ＬＥＤアレイ５２ｄ、並びに直動板２３２におけるカム孔２３５、２３６の記載を省略している。
【００７７】
第４実施形態におけるＬＥＤアレイ５２ａ、５２ｂ、５２ｃ、５２ｄの回動機構は、直動板２３２、第１ギア７６、及び第２ギア７７を備えている。
第１ギア７６は第１回転軸４に設けられており、回転方向の位置が固定されている。つまり、第１ギア７６は回転しないように設けられている。
【００７８】
第２ギア７７は第１ギア７６にかみ合うギアであり、トップカバー３に設けられている。第２ギア７７は、トップカバー３の第１位置と第２位置との間での変位に伴って第１回転軸４を中心として回動可能、かつ回転軸７７ａを中心として回転可能に構成されている。つまり、第２ギア７７は、トップカバー３が第１位置と第２位置との間で変位する際に、第１回転軸４を中心として公転するとともに、回転軸７７ａを中心として自転するように構成されている。
【００７９】
直動板２３２の後端部には、第２ギア７７とかみ合うラックギア２３２ａが形成されている。
なお、直動板２３２は、第１実施形態の直動板３２に対して、アーム７２のカバー側端部７２ｂが接続されていない点、及びラックギア２３２ａが形成されている点を除いて同様に構成されており、保持カム面２３３ａ、２３４ａ、２３５ａ、２３６ａ及び回動カム面２３３ｂ、２３４ｂ、２３５ｂ、２３６ｂを有したカム孔２３３、２３４、２３５、２３６が形成されている。回動カム面２３３ｂは第１被係合部の一例であり、回動カム面２３４ｂは第２被係合部の一例である。
【００８０】
このような構成において、トップカバー３が第２位置にあるときには、図９（ａ）に示すように、直動板２３２は後方へ移動した状態にあり、係合ピン５４ａ、５４ｂ、５４ｃ、５４ｄは、それぞれカム孔２３３、２３４、２３５、２３６の前端部に位置している。この状態から、トップカバー３が第２位置から第１位置へ向けて変位すると、第２ギア７７はトップカバー３の変位に伴って第１回転軸４を中心として、図９において反時計回りとなる第１回転方向に公転する。
【００８１】
第２ギア７７は、回転しない第１ギア７６とかみ合っているため、第１回転軸４を中心として第１回転方向に公転すると、回転軸７７ａを中心として第１回転方向に自転する。
第２ギア７７が第１回転方向に自転すると、第２ギア７７とラックギア２３２ａとがかみ合っているため、直動板２３２が前方に移動する。
【００８２】
直動板２３２が前方へ移動すると、第１実施形態の場合と同様に、最初に係合ピン５４ｄが回動カム面２３６ｂの位置に達し、第４ＬＥＤアレイ５２ｄが回動して退避位置から露光位置へ変位する。
次に、係合ピン５４ｃが回動カム面２３５ｂの位置に達して第３ＬＥＤアレイ５２ｃが退避位置から露光位置へ変位し、さらに係合ピン５４ｂが回動カム面２３４ｂの位置に達して第２ＬＥＤアレイ５２ｂが退避位置から露光位置へ変位する。
最後に、係合ピン５４ａが回動カム面２３３ｂの位置に達して、図９（ｂ）に示すように、第１ＬＥＤアレイ５２ａが退避位置から露光位置へ変位する。
【００８３】
[本実施形態おける効果]
本実施形態においては、画像形成装置１は上述のように構成されている。
つまり、電子写真方式の画像形成装置１は、上面に開口部２ａを有する装置本体２と、後端部が装置本体２に第１回動軸４を中心として回動可能に支持され、後端部と反対側の前端部が第１回動軸４を中心として揺動することにより、開口部２ａを塞ぐ第１位置と開口部２ａを開放する第２位置との間で変位するトップカバー３と、第１回動軸４と平行な第２回動軸５ａを中心として基端部がトップカバー３に回動可能に支持され、基端部と反対側の先端部がトップカバー３から離間する露光位置とトップカバー３に近接する退避位置との間で変位する第１ＬＥＤアレイ５２ａと、第１ＬＥＤアレイ５２ａよりも第１回動軸４に近い側において第１回動軸４と平行な第３回動軸５ｂを中心として基端部がトップカバー３に回動可能に支持され、基端部と反対側の先端部がトップカバー３から離間する露光位置とトップカバー３に近接する退避位置との間で変位する第２ＬＥＤアレイ５２ｂと、トップカバー３の第２位置から第１位置への変位に伴って、第２ＬＥＤアレイ５２ｂを退避位置から露光位置に変位させるとともに、第１ＬＥＤアレイ５２ａを第２ＬＥＤアレイ５２ｂよりも遅いタイミングで退避位置から露光位置に変位させるリンク機構とを備えている。
【００８４】
このような構成により、トップカバー３が第２位置から第１位置に変位する際に、相対的にユーザーに近い位置に配置される第１ＬＥＤアレイ５２ａの露光位置への変位が、相対的にユーザーから遠い位置に配置される第２ＬＥＤアレイ５２ｂの露光位置への変位よりも遅いタイミングで行われる。つまり、ユーザーに近い位置に配置されて汚れる可能性の高い第１ＬＥＤアレイ５２ａが汚れやすい露光位置に変位するタイミングが、第２ＬＥＤアレイ５２ｂよりも遅くなるため、第１ＬＥＤアレイ５２ａが汚れにくくなる。
【００８５】
また、画像形成装置１は、第２ＬＥＤアレイ５２ｂよりも第１回動軸４に近い側において第１回動軸４と平行な第４回動軸５ｃを中心として基端部がトップカバー３に回動可能に支持され、基端部と反対側の先端部がトップカバー３から離間する露光位置とトップカバー３に近接する退避位置との間で変位する第３ＬＥＤアレイ５２ｃをさらに備え、前記リンク機構は、トップカバー３が第２位置から第１位置へ変位する際に、第３ＬＥＤアレイ５２ｃを第２ＬＥＤアレイ５２ｂよりも早いタイミングで退避位置から露光位置に変位させる。
【００８６】
トップカバー３が第２位置にある状態では、第１回動軸４に近い側のＬＥＤアレイ５２の方が第１回動軸３から遠い側のＬＥＤアレイ５２よりも装置本体４までの距離が短いため、トップカバー３が第２位置から第１位置に変位する際には、第１回動軸４に近い側のＬＥＤアレイ５２を早いタイミングで退避位置から露光位置に変位させる必要がある。
従って、トップカバー３が第２位置から第１位置に変位する際に、第１ＬＥＤアレイ５２ａから第３ＬＥＤアレイ５２ｃのなかで第１回動軸４に最も近い第３ＬＥＤアレイ５２ｃから、第２ＬＥＤアレイ５２ｂ、第１ＬＥＤアレイ５２ａの順に退避位置から露光位置へ変位させるように構成することで、第１回動軸４から遠い側のＬＥＤアレイ５２が露光位置に変位するタイミングを遅くすることができ、各ＬＥＤアレイ５２を確実に露光位置に変位させつつ汚れにくくすることができる。
【００８７】
また、第１ＬＥＤアレイ５２ａは、先端部に露光面５５ａが配置され、前記リンク機構は、トップカバー３の第１位置から第２位置への変位に伴って、第１ＬＥＤアレイ５２ａの先端部を第１回動軸４側へ変位させることにより、第１ＬＥＤアレイ５２ａを露光位置から退避位置に変位させる。
【００８８】
このように、第１ＬＥＤアレイ５２ａを露光位置から退避位置に変位させるときに、露光面５５ａが配置される先端部を第１回動軸４側へ変位させることで、第１ＬＥＤアレイ５２ａの先端部をユーザーから遠く離れる方向に向けることができ、第１ＬＥＤアレイ５２ａの露光面５５ａが汚れにくくなる。
【００８９】
また、前記リンク機構は、第１ＬＥＤアレイ５２ａが有する係合ピン５４ａと、第２ＬＥＤアレイ５２ｂが有する係合ピン５４ｂと、トップカバー３に設けられ、トップカバー３の第１位置と第２位置との間での変位に伴って第１回動軸４と直交する方向へ移動し、係合ピン５４ａと係合する回動カム面３３ｂ及び係合ピン５４ｂと係合する回動カム面３４ｂを有する直動板３２とを備え、回動カム面３３ｂ及び回動カム面３４ｂは、トップカバー３の第２位置から第１位置への変位に伴って直動板３２が移動する際に、それぞれ係合ピン５４ａ及び係合ピン５４ｂと係合することにより、第１ＬＥＤアレイ５２ａ及び第２ＬＥＤアレイ５２ｂを退避位置から露光位置へ変位させるとともに、回動カム面３３ｂが係合ピン５４ａと係合するタイミングが、回動カム面３４ｂが係合ピン５４ｂと係合するタイミングよりも遅くなる位置に配置されている。
【００９０】
さらに、前記リンク機構は、本体側端部７２ａが装置本体２に回動可能に支持され、本体側端部７２ａとは反対側のカバー側端部７２ｂが直動板３２に回動可能に支持されるアーム７２を備え、トップカバー３が第１位置と第２位置との間で変位するのに伴って、直動板３２がアーム７２により第１回動軸４と直交する方向へ移動される。
【００９１】
このように、回動カム面３３ｂが係合ピン５４ａと係合するタイミングが、回動カム面３４ｂが係合ピン５４ｂと係合するタイミングよりも遅いため、第１ＬＥＤアレイ５２ａの露光位置への変位が、第２ＬＥＤアレイ５２ｂの露光位置への変位よりも遅いタイミングで行われることとなり、第１ＬＥＤアレイ５２ａが汚れにくくなる。
【００９２】
また、前記リンク機構は、第１回動軸４に設けられる第１ギア７６と、第１ギア７６とかみ合い、トップカバー３の第１位置と第２位置との間での変位に伴い第１回動軸４を中心として回動する第２ギア７７と、直動板２３２に形成され、第２ギア７７とかみ合うラックギア２３２ａとを備え、トップカバー３が第１位置と第２位置との間で変位するのに伴って第２ギア７７が第１回転軸４を中心として回動することにより、第２ギア７７が第２ギア７７の回転軸７７ａを中心に回転して、直動板２３２が第１回動軸４と直交する方向へ移動されるように構成することもできる。
この場合も、第１ＬＥＤアレイ５２ａの露光位置への変位が、第２ＬＥＤアレイ５２ｂの露光位置への変位よりも遅いタイミングで行われることとなり、第１ＬＥＤアレイ５２ａが汚れにくくなる。
【００９３】
また、前記リンク機構は、トップカバー３に設けられ、第１回動軸４と直交する方向へ移動可能なスライド部材３７と、スライド部材３７と当接可能な当接部３８ｂ、３９ｂ及び直動板３２、１３２と連結される連結部３８ｃ、３９ｃを有し、第１回動軸４と平行な回動軸３８ａ、３９ａを中心としてトップカバー３に回動可能に支持されるリンクレバー３８、３９と、本体側端部７３ａが装置本体２に回動可能に支持され、本体側端部７３ａとは反対側のカバー側端部７３ｂがスライド部材３７に回動可能に支持されるアーム７３とを備え、トップカバー３が第２位置から第１位置へ変位するのに伴って、スライド部材３７がアーム７３により第１回動軸４と直交する方向へ移動され、第１回動軸４と直交する方向へ移動するスライド部材３７が当接部３８ｂ、３９ｂに当接することにより、リンクレバー３８、３９が回動軸３８ａ、３９ａを中心に回動し、回動軸３８ａ、３９ａを中心に回動するリンクレバー３８、３９により直動板３２、１３２が第１回動軸４と直交する方向へ移動されるように構成することもできる。
この場合も、第１ＬＥＤアレイ５２ａの露光位置への変位が、第２ＬＥＤアレイ５２ｂの露光位置への変位よりも遅いタイミングで行われることとなり、第１ＬＥＤアレイ５２ａが汚れにくくなる。
【符号の説明】
【００９４】
１    画像形成装置、
２    装置本体
２ａ  開口部
３    トップカバー
４    第１回動軸
５ａ  第２回動軸
５ｂ  第３回動軸
５ｃ  第４回動軸
５ｄ  回動軸
３２、１３２、２３２  直動板
３３、３４、３５、３６  カム孔
３３ａ、３４ａ、３５ａ、３６ａ  保持カム面
３３ｂ、３４ｂ、３５ｂ、３６ｂ  回動カム面
３７    スライド部材
３８、３９  リンクレバー
３８ａ、３９ａ  回動軸（第５回動軸）
３８ｂ、３９ｂ  当接部
３８ｃ３９ｃ  連結部
５２ａ  第１ＬＥＤアレイ
５２ｂ  第２ＬＥＤアレイ
５２ｃ  第３ＬＥＤアレイ
５２ｄ  第４ＬＥＤアレイ
５４ａ、５４ｂ、５４ｃ、５４ｄ  係合ピン
５５ａ、５５ｂ、５５ｃ、５５ｄ  露光面
７２、７３  アーム
７４、７５  バネ
７６    第１ギア
７７    第２ギア
１３３、１３４、１３５、１３６  被係合孔
１３３ａ、１３４ａ、１３５ａ、１３６ａ  被係合部
２３２ａ    ラックギア
２３３、２３４、２３５、２３６  カム孔
２３３ａ、２３４ａ、２３５ａ、２３６ａ  保持カム面
２３３ｂ、２３４ｂ、２３５ｂ、２３６ｂ  回動カム面
【図１】
2018060037.tif 000003
【図２】
2018060037.tif 000004
【図３】
2018060037.tif 000005
【図４】
2018060037.tif 000006
【図５】
2018060037.tif 000007
【図６】
2018060037.tif 000008
【図７】
2018060037.tif 000009
【図８】
2018060037.tif 000010
【図９】
2018060037.tif 000011